(57)【要約】      （修正有）【課題】扉同士の召合せ部分上端及び下端の遮音を効率良く行うと共に、扉下部に使用する下部気密装置両端部分での遮音を確実に行うことのできる遮音扉を提供する。【解決手段】召合せ気密部材４１の端部に噛合し、該召合せ気密部材４１に沿って扉端部方向に延出する遮蔽部３１と、該遮蔽部３１を召合せ部に固定する固定支持部３２とによって一体に構成された一対の召合せアタッチメント３０を具備し、前記召合せ気密部材４１の上端に設けられる上部召合せアタッチメントの遮蔽部３１は、前記扉が枠体のシール部材に接触する部分まで延出してこの部分の遮蔽を行い、前記召合せ気密部材４１の下端に設けられる下部召合せアタッチメント６０の遮蔽部６１は、前記下部気密装置の下端位置まで延出してこの部分の遮蔽を行う。さらに、下部気密装置の両端に下端部アタッチメント６０を設け、下部気密装置両端の遮蔽を行う。【選択図】図２
2006225909.tif 000002
【特許請求の範囲】
【請求項１】
開口部の上側及び両側の三方に配置された枠体と、該枠体内に嵌着された周縁気密部材と、上縁側及び両縁側が前記周縁気密部材に当接して前記開口部を閉塞すると共に、前記開口部の下側に当接して下側を遮蔽する下部気密装置を有する一対の扉とによって構成され、前記一対の扉の一方が、他方の扉の当接部分に召合せ部を有し、その召合せ部に召合せ気密部材が配された遮音扉において、
前記召合せ気密部材の端部に噛合し、該召合せ気密部材に沿って扉端部方向に延出する遮蔽部と、該遮蔽部を前記召合せ部に固定する固定支持部とによって一体に構成された一対の召合せアタッチメントを具備し、
前記召合せ気密部材の上端に設けられる上部召合せアタッチメントの遮蔽部は、前記他方扉が前記枠体のシール部材に接触する部分まで延出し、
前記召合せ気密部材の下端に設けられる下部召合せアタッチメントの遮蔽部は、前記下部気密装置の下端位置まで延出することを特徴とする遮音扉。
【請求項２】
前記召合せアタッチメントの固定支持部は、前記召合せ部の長手方向に長径を有する長円形の固定ネジ穴を有し、前記長手方向に対してその位置が調整可能であることを特徴とする請求項１記載の遮音扉。
【請求項３】
前記各々の扉の下部気密装置のそれぞれの端部には、前記下部気密装置の端部と前記周縁気密部材若しくは前記下部召合せアタッチメントとの間を遮蔽する遮蔽部と、該遮蔽部と一体に形成され、前記遮蔽部を前記扉に固定する固定部とによって略Ｔ字状に形成された下端部アタッチメントが設けられることを特徴とする請求項１又は２記載の遮蔽扉。
【請求項４】
前記下端部アタッチメントの固定部は、垂直方向に長径を有する長円形の固定ネジ穴を有し、前記垂直方向に対してその位置が調整可能であることを特徴とする請求項４記載の遮音扉。
【発明の詳細な説明】
【技術分野】
【０００１】
本発明は、扉内外の音の漏洩若しくは侵入を遮断する遮音扉に関する。
【背景技術】
【０００２】
特許文献１は、扉枠の出入口を開閉するドアのシール装置において、前記扉枠の上枠及び一対の竪枠の内面に上記ドアの内面外周部と対向するシール枠を取り付け、そのシール枠に形成されてシール枠の長さ方向に延び、ドアと対向する面で開口する案内溝内に、その案内溝の長さ方向に長いシール支持体を組み込み、このシール支持体のドアと対向する面に、シール支持体の長さ方向に延びる２本のシール部材を取り付け、その２本のシール部材の内、内側シール部材にはドアの内面に先端部が弾性接触する外向き傾斜リップを設け、外側シール部材には上記外向き傾斜リップの屋内面側に先端部が弾性接触する内向き傾斜リップを形成し、前記シール支持体には２本のシール部材間に、シール支持体の屋内・外面に貫通する複数のネジ孔を設け、各ネジ孔にねじ係合され、２本のシール部材間から回動操作される調整ネジの先端部をシール枠内に取り付けられた固定座で回転自在に支持し、これによって、２本のシール部材間から調整ネジを回動し、シール支持体を屋内・外方向に移動させて内側シール部材にドアに対する接触圧力を調整するようにしたシール装置を開示する。
【０００３】
特許文献２は、車椅子の使用及び歩行においてネックとなっている床面上のくつ沓を無くしながら、必要に応じて雨水の浸入や空気漏れなどを防止できる扉下部の隙間遮蔽装置を開示する。具体的には、隙間遮蔽装置が、扉の内外の少なくとも一方に設けた操作部材によって上下方向に移動されるロッドと、扉の下框に沿って水平方向に移動可能な作動部材と、下降に伴って下框と床面との間の隙間を遮蔽する上下動可能な遮蔽部材とからなることが開示されている。
【０００４】
特許文献３は、扉開口部全体としての電磁遮断性能を向上させるために、扉開口部の両側及び上面の三方が一体に成形された電磁遮蔽材からなる扉三方枠と、この扉三方枠内に開閉自在に装着された電磁遮蔽材からなる扉と、扉開口部側に突出するように前記扉三方枠の三方に形成された遮蔽片と、この遮蔽片に沿って扉三方枠に固定された金属製のガスケット用ボックスと、前記遮蔽片とガスケット用ボックスを覆うように固定された金属製のカバーと、前記ガスケット用ボックス内に収納され、扉に押圧可能にされた導電性ガスケットとを備えた電磁遮蔽扉を開示する。
【特許文献１】特開平９−１１２１５３号公報
【特許文献２】特開平９−７８９５８号公報
【特許文献３】特開平１０−２７３９９５号公報
【発明の開示】
【発明が解決しようとする課題】
【０００５】
従来の遮音扉において、両開き形式の１対の扉の場合、扉同時の召合せの部分での遮音が非常に問題となるため、従来では一方の扉に他方の扉に接合する気密ゴムを配して遮音するようにしていたが、召合せ部分は、扉の周縁がシール部材と当接する構造であることから、扉の寸法よりも短く形成されるために、その上端と下端部分での気密が十分に行われないという問題があった。
【０００６】
さらに、上述した引例においても明らかなように、扉の閉鎖時に、扉周囲と枠の隙間を塞ぐために、扉周囲と枠とが当接する位置にシール装置を配したり、扉から周囲に遮蔽部材が飛び出すようにすることが考えられてきたが、いずれの場合においても、扉の４隅の納まりが常に問題となっていた。
【０００７】
また、一般的に、マグネットゴム等のシール部材を、扉の上枠、両袖枠の３方向に取り付け、下部には上述した引例に開示されるような所謂下部気密装置を取り付けて使用する場合が多いが、下部気密装置とマグネットゴムが切り替わる部位、或いは接触する面における遮蔽を確実に行うことができないという不具合があった。
【０００８】
このため、この発明は、扉同士の召合せ部分上端及び下端の遮音を効率良く行うと共に、くつ沓形状をバリアフリー対応にした場合、扉下部に使用する下部気密装置両端部分での遮音を確実に行うことのできる遮音扉を提供することにある。
【課題を解決するための手段】
【０００９】
したがって、この発明は、開口部の上側及び両側の三方に配置された枠体と、該枠体内に嵌着された周縁気密部材と、上縁側及び両縁側が前記周縁気密部材に当接して前記開口部を閉塞すると共に、前記開口部の下側に当接して下側を遮蔽する下部気密装置を有する一対の扉とによって構成され、前記一対の扉の一方が、他方の扉の当接部分に召合せ部を有し、その召合せ部に召合せ気密部材が配された遮音扉において、前記召合せ気密部材の端部に噛合し、該召合せ気密部材に沿って扉端部方向に延出する遮蔽部と、該遮蔽部を前記召合せ部に固定する固定支持部とによって一体に構成された一対の召合せアタッチメントを具備し、前記召合せ気密部材の上端に設けられる上部召合せアタッチメントの遮蔽部は、前記他方扉が前記枠体のシール部材に接触する部分まで延出し、前記召合せ気密部材の下端に設けられる下部召合せアタッチメントの遮蔽部は、前記下部気密装置の下端位置まで延出することにある。
【００１０】
また、前記召合せアタッチメントの固定支持部は、前記召合せ部の長手方向に長径を有する長円形の固定ネジ穴を有し、前記長手方向に対してその位置が調整可能であることが望ましい。
【００１１】
さらに、前記各々の扉の下部気密装置のそれぞれの端部には、前記下部気密装置の端部と前記周縁気密部材若しくは前記下部召合せアタッチメントとの間を遮蔽する遮蔽部と、該遮蔽部と一体に形成され、前記遮蔽部を前記扉に固定する固定部とによって略Ｔ字状に形成された下端部アタッチメントが設けられることが望ましい。
【００１２】
さらにまた、前記下端部アタッチメントの固定部は、垂直方向に長径を有する長円形の固定ネジ穴を有し、前記垂直方向に対してその位置が調整可能であることが望ましい。
【発明の効果】
【００１３】
したがって、この発明よれば、２つの扉の召合せ部分のシール部材の上下端に、召合せ部の長手方向に沿って前記他方の扉の端部近傍まで延出し、前記枠体のシール部材に当接する召合せアタッチメントを設けたため、召合せ部の上下端における遮音性を向上させることができるものである。また、扉の下方においては、それぞれの扉の下部気密装置両端に下端部アタッチメントを設けたので、召合せ部分の下方及び開口部周縁の下端部分における遮音性を向上させることができるものである。
【発明を実施するための最良の形態】
【００１４】
以下、この発明の実施例ついて図面により説明する。
【実施例１】
【００１５】
本願発明の実施例１に係る遮音扉１は、例えば図１に示すように、室内外若しくは通路上の開口部２を開閉する一対の扉４，５より構成されるもので、通常開口部２の両側面及び上面の三方に連設される枠体３に当接して三方を遮蔽すると共に、床側の突出する下部気密装置６，７によって、くつずり若しくはバリアフリーの床面２０との間を遮蔽し、前記室内外若しくは通路上を遮音するものである。尚、前記枠体３は、前記開口部２の三方に連設される気密部材装着溝部７１を有し、この気密部材装着溝部７１には、前記扉４，５の周縁が当接するマグネットゴム等からなる周縁気密部材７０が嵌着される。これによって、扉４，５及び前記周縁気密部材７０によって前記開口部２の三方において遮音される。
【００１６】
また、前記一対の扉４，５の一方の扉、例えば扉４は、前記他方の扉５との間に召合せ部４０を有しており、通常の召合せ部４０は、一方の扉４と一体に形成されると共に、他方の扉５との当接部分に沿って上下に延出する召合せ枠部４２と、この召合せ枠部４２に嵌着される召合せ用マグネットゴム等からなる召合せ気密部材４１によって構成される。
【００１７】
尚、召合せ部４０は、図２に示すように、前記枠体３の気密部材装着溝部７１のぶつからないように上端が短く形成されており、前記召合せ気密部材４１の上端及び下端には、それぞれ召合せアタッチメント３０が装着される。
【００１８】
この召合せアタッチメント３０は、図３に示すように、前記召合せ気密部材４１の端部が挿着される挿着部３４が形成された遮蔽部３１と、この遮蔽部３１を前記召合せ部４０に固定する固定支持部３２とからなり、合成樹脂、合成ゴム等の弾性部材によって一体に成形されたものである。また、前記固定支持部３２には、前記召合せ部４０の長手方向に長径を有する長円形の固定ネジ穴３３が形成され、前記召合せアタッチメント３０の前記長手方向の位置が調整可能になっているものである。
【００１９】
前記召合せ気密部材４１の上端に配される召合せアタッチメント（上部召合せアタッチメント）３０Ａの前記遮蔽部３１は、前記召合せ部４０から上方に、前記扉５が前記周縁気密部材７０に当接する部分５１まで延出する。また、上部召合せアタッチメント３０の前記遮蔽部３１の当接部分３５の後端は、前記扉４が閉じた状態において、前記シール部材挿着溝部７１の端部に接触する。
【００２０】
前記召合せ気密部材４１の下端に配される召合せアタッチメント（下部召合せアタッチメント）３０Ｂは、前記召合せ部４０の下端から前記床面２０まで延出し、前記扉４，５の下端の空隙を遮蔽する。
【００２１】
これによって、遮音扉１の召合せ部分、特に召合せ部分の上下端８，９における遮音性を向上させることができる。
【００２２】
また、以上の構成に加え、本願発明の実施例に係る遮蔽扉１においては、扉４，５の下側に設けられる下部気密装置６，７の両端部には、図４で示すような下端部アタッチメント６０が配される。この下端部アタッチメント６０は、前記下部気密装置６，７の端部が当接すると共に前記扉４，５の下方端を遮蔽する遮蔽部６１と、この遮蔽部６１を扉４，５に固定する固定部６２とによって構成され、合成樹脂、合成ゴム等の弾性部材によって略Ｔ字状に一体に形成される。尚、前記固定部６２には、垂直方向に長径を有する長円形の固定ネジ穴６３が形成されて、垂直方向に位置を調整できるようになっている。
【００２３】
以上の構成の下端部アタッチメント６０において、図５及び図６で示すように、前記召合せ部４０の下端９において、扉４の下部気密装置６の端部が当接する下端部アタッチメント６０Ａは、前記遮蔽部６１の長手延出部６５が前記下部召合せアタッチメント３０Ｂの側部に当接して、この当接部分を遮蔽するように配されると共に、扉５の下部気密装置７の端部が当接する下端部アタッチメント６０Ｂは、前記遮蔽部６１の短手延出部６４が前記下部召合せアタッチメント３０Ｂの当接部３５に当接して、この当接部分を遮蔽するように配される。
【００２４】
これによって、前記召合せ部４０の下端９における遮音性をさらに向上させることができるものである。
【００２５】
さらに、以上の構成に加え、本願発明に実施例に係る遮音扉１では、図７、図８及び図９で示すように、前述した下端部アタッチメント６０によって、下部気密装置６，７の枠体側端部に配するものである。具体的には、図７及び図８に示すように、扉５の下部気密装置７の端部に配される下端部アタッチメント６０Ｃは、遮蔽部６１の短手延出部６４の端部が、扉５が閉じられた時に前記周縁気密部材７０に当接し、扉５の枠体側下方の隅１１を遮蔽するものである。
【００２６】
同様に、図９で示すように、扉４の下部気密装置６の端部に配される下端部アタッチメント６０Ｄは、遮蔽部６１の短手延出部６４の端部が、扉４が閉じられた時に前記周縁気密部材７０に当接し、扉４の枠体側下方の隅１０を遮蔽するものである。
【００２７】
したがって、上述した構成の遮音扉１では、図１に示す扉４，５の召合せ部分の上下端８，９及び下部気密装置６，７の枠体側下方の隅１０，１１における密閉性を向上させることができるので、遮音扉１の遮音能力を十分に高めることができるものである。
【図面の簡単な説明】
【００２８】
【図１】本願発明の実施例に係る遮音扉の構成を示した説明図である。
【図２】遮音扉の召合せ部分の縦断面図である。
【図３】召合せアタッチメントと召合せ気密部材との関係を示した説明斜視図である。
【図４】下端部アタッチメントの側面図である。
【図５】召合せ部下端の構成を示した説明平面図である。
【図６】召合せ部下端の構成を示した説明斜視図である。
【図７】他方の扉の枠体側下方の隅の説明平面図である。
【図８】他方の扉の枠体側下方の隅の説明斜視図である。
【図９】一方の扉の枠体側下方の隅の説明平面図である。
【符号の説明】
【００２９】
１  遮音扉
２  開口部
３  枠体
４，５  扉
６，７  下部気密装置
８  召合せ部分上端
９  召合せ部分下端
１０，１１  扉の枠体側下方の隅
２０  床面
３０  召合せアタッチメント
３１  遮蔽部
３２  固定支持部
３３  固定ネジ穴
４０  召合せ部
４１  召合せ気密部材
４２  召合せ枠部
６０  下端部アタッチメント
６１  遮蔽部
６２  固定部
６３  固定ネジ穴
６４  短手延出部
６５  長手延出部
７０  周縁気密部材
７１  気密部材装着溝部
【図１】
2006225909.tif 000003
【図２】
2006225909.tif 000004
【図３】
2006225909.tif 000005
【図４】
2006225909.tif 000006
【図５】
2006225909.tif 000007
【図６】
2006225909.tif 000008
【図７】
2006225909.tif 000009
【図８】
2006225909.tif 000010
【図９】
2006225909.tif 000011